(57)【特許請求の範囲】
【請求項１】
工場出荷段階で設定された燃焼量設定用の複数の工場出荷値を記憶した工場出荷値記憶手段と前記工場出荷値を外部からの操作で変更し該変更された最新設定値を記憶する最新設定値記憶手段とを持つ不揮発性メモリーと、この不揮発性メモリーに記憶された設定値を読み込みこの設定値に応じた燃焼量制御信号を出力するマイコンと、このマイコンからの信号に基づいて燃焼量を制御する燃焼量制御手段と、前記不揮発性メモリーの燃焼量設定値が変更されたことを表示する表示手段とを備え、前記マイコンは、前記不揮発性メモリーに記憶された工場出荷値と変更可能な最新設定値とが同一か否かを比較し、その結果を前記表示手段を介して外部に知らせる燃焼機器の制御装置。
【請求項２】
不揮発性メモリーに記憶された燃焼量設定値で設定される複数の燃焼量設定段階を持ち、前記燃焼量設定段階を任意に切り替え可能な設定切替手段と、前記設定切替手段で選択した任意の燃焼量設定段階で前記不揮発性メモリーの燃焼量設定値を変更する設定変更手段を備え、前記不揮発性メモリーの工場出荷値と最新設定値が同一か否かを常時比較することで、燃焼量設定値が変更されたか否かを外部に表示する請求項１記載の燃焼機器の制御装置。
【請求項３】
不揮発性メモリーに記憶された燃焼量設定値で設定される複数の燃焼量設定段階を持ち、前記燃焼量設定段階を任意に切り替え可能な設定切替手段と、前記設定切替手段で選択した任意の燃焼量設定段階で前記不揮発性メモリーの燃焼量設定値を変更する設定変更手段を備え、前記設定切替手段で燃焼量設定段階を切り替えたとき、各燃焼量設定段階における不揮発性メモリーの工場出荷値と最新設定値が同一か否かを比較することで、燃焼量設定値が変更されたか否かを外部に表示する請求項１記載の燃焼機器の制御装置。
【請求項４】
不揮発性メモリーに記憶された燃焼量設定値で設定される複数の燃焼量設定段階を持ち、前記燃焼量設定段階を任意に切り替え可能な設定切替手段と、前記設定切替手段で選択した任意の燃焼量設定段階で前記不揮発性メモリーの燃焼量設定値を変更する設定変更手段を備え、前記設定切替手段及び設定変更手段で変更された前記不揮発性メモリーの最新設定値の全てを同時に工場出荷値に戻すことができるリセット手段を設けた請求項１記載の燃焼機器の制御装置。
【請求項５】
不揮発性メモリーに記憶された燃焼量設定値で設定される複数の燃焼量設定段階を持ち、前記燃焼量設定段階を任意に切り替え可能な設定切替手段と、前記設定切替手段で選択した任意の燃焼量設定段階で前記不揮発性メモリーの燃焼量設定値を変更す
る設定変更手段を備え、前記設定切替手段で燃焼量設定段階を切り替えたときに限り、前記設定切替手段及び設定変更手段で変更された前記不揮発性メモリーの最新設定値を工場出荷値に戻すことができるリセット手段を設けた請求項１記載の燃焼機器の制御装置。
【請求項６】
表示手段は、燃焼量設定値の最新設定値が工場出荷値より高いか低いかを区別して表示することができる構成とした請求項１記載の燃焼機器の制御装置。
【請求項７】
表示手段は、燃焼量設定値の最新設定値と工場出荷値の偏差を表示することができる構成とした請求項１記載の燃焼機器の制御装置。
【発明の詳細な説明】
【０００１】
【発明の属する技術分野】
本発明は燃焼機器技術分野、特にガス給湯器等のガス燃焼機器の燃焼仕様の設定に関するものである。
【０００２】
【従来の技術】
従来、この種のガス給湯器では、ガス圧調整は最大燃焼量と最小燃焼量のガス圧の設定を複数の可変抵抗器で電圧設定することによって最大燃焼量と最小燃焼量の設定を行い、最大と最小の間の比例制御をマイコンがその偏差を等分することによって行っていた。
【０００３】
そして、工場出荷時、回転式の可変抵抗器の回転部と固定部にマジック等でマーキングすることによって出荷時のガス圧調整の保証をし、市場での設定変更の識別を行っていた。
【０００４】
【発明が解決しようとする課題】
しかしながら従来の構成では、出荷後、機器への衝撃や可変抵抗器の劣化あるいは人為的な変更等でガス圧設定値が変化し、燃焼機器の異常燃焼が起こり、爆発着火の危険や着火時または連続燃焼時のバーナの異常音等の不具合が生ずる恐れがあった。また、工場出荷時からの可変抵抗器の変化は外部からは容易に認識することが困難であった。また近年、環境問題等の社会的要請から、複数のガス圧調整段階を必要とする低ＮＯｘの燃焼装置を搭載するガス給湯器が普及しつつあるが、複数の可変抵抗器が必要となるため、コンパクト化の要求に応えることに対して不利となっていた。それに対処するため、マイコンの高性能化によるデジタル数値の分解能の向上を背景に、マイコンの出力するパルス電圧の幅の制御を利用したＰｕｌｓ  Ｗｉｄｔｈ  Ｍｏｄｕｌａｔｉｏｎ（以下ＰＷＭ）方式を採用し、デジタル数値によって、燃焼量を制御し、前述した可変抵抗器を無くしたガス機器が登場するようになった。
【０００５】
しかし、一方ガス圧設定が半導体メモリー等の記憶手段に記憶されるため、外部から機器の設定状態が分かりにくいという問題や、機器のサービス・メンテナンスをするのに特殊な装置が必要になるという課題があった。更に、近年製造物責任法の成立により、機器が何らかの原因でユーザーに損害を与えた場合、その機器の性能上および工場出荷時まで（製造者）の問題か、あるいは市場に出て第三者が何らかの操作を加え、設定を変えたことが問題か明確にする必要がでてきた。
【０００６】
本発明は、上記課題を解決するもので、ガス圧調整が工場出荷時から操作されているかどうか、またどの程度操作されているかを簡単に表示し、また簡単な操作により工場出荷時の設定に戻すことができる燃焼機器の制御装置である。
【０００７】
【課題を解決するための手段】
上記課題を解決するため本発明の燃焼機器の制御装置は、工場出荷段階で設定された燃焼量設定用の複数の工場出荷値を記憶した工場出荷値記憶手段と前記工場出荷値を外部からの操作で変更し該変更された最新設定値を記憶する最新設定値記憶手段とを持つ不揮発性メモリーと、この不揮発性メモリーに記憶された設定値を読み込みこの設定値に応じた燃焼量制御信号を出力するマイコンと、このマイコンからの信号に基づいて燃焼量を制御する燃焼量制御手段と、前記不揮発性メモリーの燃焼量設定値が変更されたことを表示する表示手段とを備え、前記マイコンは、前記不揮発性メモリーに記憶された工場出荷値と変更可能な最新設定値とが同一か否かを比較し、その結果を前記表示手段を介して外部に知らせるものである。
【０００８】
この本発明によれば、燃焼機器の不具合の原因をより早く、かつ正確に分析することができる。
【０００９】
【発明の実施の形態】
本発明は、工場出荷段階で設定された燃焼量設定用の複数の工場出荷値を記憶した工場出荷値記憶手段と前記工場出荷値を外部からの操作で変更し該変更された最新設定値を記憶する最新設定値記憶手段とを持つ不揮発性メモリーと、この不揮発性メモリーに記憶された設定値を読み込みこの設定値に応じた燃焼量制御信号を出力するマイコンと、このマイコンからの信号に基づいて燃焼量を制御する燃焼量制御手段と、前記不揮発性メモリーの燃焼量設定値が変更されたことを表示する表示手段とを備え、前記マイコンは、前記不揮発性メモリーに記憶された工場出荷値と変更可能な最新設定値とが同一か否かを比較し、その結果を前記表示手段を介して外部に知らせるものである。そして、メモリーに記憶されている工場出荷値と最新設定値が異なっている場合には、表示手段によって外部に知らせ、機能の異常燃焼の可能性を正確に警告することができる。
【００１０】
また、不揮発性メモリーに記憶された燃焼量設定値で設定される複数の燃焼量設定段階を持ち、前記燃焼量設定段階を任意に切り替え可能な設定切替手段と、前記設定切替手段で選択した任意の燃焼量設定段階で前記不揮発性メモリーの燃焼量設定値を変更する設定変更手段を備え、前記不揮発性メモリーの工場出荷値と最新設定値が同一か否かを常時比較することで、燃焼量設定値が変更されたか否かを外部に表示する表示手段を有するものである。そして、メモリーに記憶されている工場出荷値と最新設定値が異なっている場合には、表示手段によって常時外部に知らせ、機能の異常燃焼の可能性をリアルタイムに警告することができる。
【００１１】
また、不揮発性メモリーに記憶された燃焼量設定値で設定される複数の燃焼量設定段階を持ち、前記燃焼量設定段階を任意に切り替え可能な設定切替手段と、前記設定切替手段で選択した任意の燃焼量設定段階で前記不揮発性メモリーの燃焼量設定値を変更する設定変更手段を備え、前記設定切替手段で燃焼量設定段階を切り替えたとき、各燃焼量設定段階における不揮発性メモリーの工場出荷値と最新設定値が同一か否かを比較することで、燃焼量設定値が変更されたか否かを外部に表示する表示手段を有するものである。そして、各設定段階でメモリーに記憶されている工場出荷値と最新設定値が異なっている場合には、表示手段によって各設定段階毎に外部に知らせ、どの設定段階で異常燃焼の恐れがあるかを警告することができる。
【００１２】
また、不揮発性メモリーに記憶された燃焼量設定値で設定される複数の燃焼量設定段階を持ち、前記燃焼量設定段階を任意に切り替え可能な設定切替手段と、前記設定切替手段で選択した任意の燃焼量設定段階で前記不揮発性メモリーの燃焼量設定値を変更する設定変更手段を備え、前記設定切替手段及び設定変更手段で変更された前記不揮発性メモリーの最新設定値の全てを同時に工場出荷値に戻すことができるリセット手段を設けたものである。そして、リセット手段によって、工場出荷値に全ての設定値を戻すことができる。
【００１３】
また、不揮発性メモリーに記憶された燃焼量設定値で設定される複数の燃焼量設定段階を持ち、前記燃焼量設定段階を任意に切り替え可能な設定切替手段と、前記設定切替手段で選択した任意の燃焼量設定段階で前記不揮発性メモリーの燃焼量設定値を変更する設定変更手段を備え、前記設定切替手段で燃焼量設定段階を切り替えたときに限り、前記設定切替手段及び設定変更手段で変更された前記不揮発性メモリーの最新設定値を工場出荷値に戻すことができるリセット手段を設けたものである。そして、工場出荷値に戻す設定段階を選択することができる。
【００１４】
また最新設定値が工場出荷値より高いか低いかを表示することができる表示手段を有したものである。そして、高いか低いかを表示するため、操作する者が機器の燃焼状態に合わせた操作ができる。
【００１５】
さらにまた最新設定値の工場出荷値からの偏差を表示することができる表示手段を有するものである。そして、偏差を表示するため、操作する者がどの程度変更しているかを知りながら操作することができる。
【００１６】
以下本発明の操作装置の実施例について、図面を参照しながら説明する。
図１は、本発明の一実施例としてのガス給湯器の制御装置である。
【００１７】
まず図１に基づいて燃焼量の制御方法について説明する。図１において、マイコン１は最新設定値記憶手段３の記憶する数値を読みとり、信号変換手段６にその数値に応じたパルス幅の電気信号を送る。信号変換手段６は、マイコン１から送られたパルス幅に応じたアナログ信号を変換し燃焼量（ガス圧）制御手段７に送る。燃焼量制御手段７はアナログ信号によって制御され燃焼手段８に送るガス量を制御する。
【００１８】
次に、最新設定値記憶手段３の数値を変更する方法について説明する。１０は設定変更手段のタクトスイッチで、押すことによって設定数値が上がる。１１は設定変更手段のタクトスイッチで、押すことによって設定数値が下がる。９は設定切替手段のロータリースイッチで、通常運転状態、任意の段階の設定状態に切り替えるものである。４，５はマイコン１の信号により、点灯する表示手段（ここでは赤と緑のＬＥＤ）である。
【００１９】
最後に、本制御装置の特長的動作を説明する。設定切替手段９をマイナスドライバー等の汎用工具で通常運転状態から任意の設定状態に切り替えると、マイコン１が工場出荷値記憶手段２に記憶されている切り替えた設定状態における数値と最新設定値記憶手段３に記憶されている切り替えた設定状態における数値とを比較して、同一であれば表示手段４，５に信号を送らず、共に消灯している。最新設定値が工場出荷値よりも高い場合には、表示手段４に信号を送り４を点灯させ、最新設定値が工場出荷値よりも低い場合には、表示手段５に信号を送り５を点灯させる。
【００２０】
以上の動作によって、最新設定値が工場出荷値から変更されたのか、また、設定段階毎にその表示をさせるようにすれば、どの設定段階が変更されたのかを知らせることができる。あるいは、本実施例のように表示手段に色の異なるＬＥＤ（例えば赤と緑）などを使えば、高い（赤点灯）か低い（緑点灯）かを操作している者に知らせることができる。また、表示手段４と５の代わりに、「＋」「−」とデジタル数値を表示できる７セグメントのＬＥＤ表示装置を用いマイコン１に最新設定値と工場出荷値の差を演算させて、その結果を７セグメントのＬＥＤに表示させれば、より正確な変化を操作している者に知らせることができる。
【００２１】
次に切り替えられた設定状態の最新設定値を工場出荷値に戻すには、本実施例では、設定変更手段１０と１１を同時押しすることによって、マイコン１が全ての設定段階の最新設定値を工場出荷値に同時に戻す。各設定段階毎に工場出荷値に戻すかを選択できるようにすれば、不具合が発生している段階だけを戻すこともできる。
【００２２】
最新設定値を工場出荷値に戻すのに１０と１１の同時押しでなく専用スイッチで構成にしてもよい。
【００２３】
【発明の効果】
以上の説明から明らかなように、本発明の燃焼機器の制御装置は、最新設定値と工場出荷値のデジタル数値を記憶する不揮発性メモリーを備え、それぞれの設定段階において同一か否かを比較して、その結果を表示手段に詳しく表示することにより、機器の不具合の原因をより早く、正確に分析することが可能となり、対策の早期解決に役立つと同時に、サービス等で操作している者に工場出荷値とのズレをリアルタイムに知らせること等が可能となり、安全で信頼性の高いサービス・メンテを行うことができると同時に操作性、利便性を向上させるという効果が期待できる。
【図面の簡単な説明】
【図１】本発明の実施例における燃焼機器の制御装置の構成図
【符号の説明】
１  マイコン
２  工場出荷値記憶手段
３  最新設定値記憶手段
４，５  設定変更手段
７  燃焼量制御手段
９  設定切替手段
１０，１１  設定変更手段（リセット手段）
【図１】
0003840689.tif 000002